(57)【要約】【課題】構成部品の数の削減および外径の小径化を図ることができるレンズ鏡筒を提供する。【解決手段】２群ユニット７は、レンズ鏡筒の収納位置から撮影位置まで移動され、各ＦＰＣ８，９により、カメラ本体と電気的に接続される。各ＦＰＣ８，９は、ベース部材１３の貫通孔１３ａでＣＣＤ１４と反対側へ折り返された後に、各ＦＰＣ８，９は、固定筒１７の貫通孔１７ｄ、駆動筒１８の貫通孔１８ｆおよびカバー部材１９の貫通孔１９ａを通過してレンズ鏡筒の外部へ導かれる。各ＦＰＣ８，９には、上記２群ユニット７の移動を許容するために、レンズ鏡筒が収納位置にあるときにたわみ部が形成され、このたわみ部は、固定筒１７の貫通孔１７ｅおよび駆動筒１８の切り欠き部１８ｇにより形成される空間に収容される。【選択図】図３
2008070550.tif 000002
【特許請求の範囲】
【請求項１】
光学素子を駆動するための、光軸方向に沿って撮影位置と収納位置との間を移動可能な電動ユニットと、
内周から外周側に貫通する第１の貫通孔および第２の貫通孔が設けられ、前記電動ユニットの外周側に配置される固定筒と、
前記電動ユニットから前記固定筒の前記第１の貫通孔を貫通して前記固定筒の外周側に延び、前記電動ユニットとカメラ本体とを電気的に接続するフレキシブルプリント基板とを備え、
前記フレキシブルプリント基板には、前記電動ユニットが前記収納位置から前記撮影位置まで移動することを許容するためのたわみ部が形成され、
前記固定筒の前記第２の貫通孔は、前記フレキシブルプリント基板の前記たわみ部を収容するための空間を形成することを特徴とするレンズ鏡筒。
【請求項２】
前記固定筒の外周側に配置される回転筒を備え、
前記回転筒には、前記電動ユニットが前記収納位置にあるときに、前記第２の貫通孔と同位相となる切り欠き部が設けられていることを特徴とする請求項１に記載のレンズ鏡筒。
【請求項３】
前記固定筒の前記第２の貫通孔は、前記第１の貫通孔より前記カメラ本体側に近い位置に配置され、
前記フレキシブルプリント基板は、前記電動ユニットから前記光軸方向へ前記カメラ本体側に向う途中で折り返された後に、前記第１の貫通孔を貫通し、
前記フレキシブルプリント基板の前記たわみ部は、前記フレキシブルプリント基板の前記折り返された部位から前記第１の貫通孔を貫通する部位の間に形成されることを特徴とする請求項１記載のレンズ鏡筒。
【請求項４】
請求項１に記載のレンズ鏡筒を装着することを特徴とするカメラ。
【発明の詳細な説明】
【技術分野】
【０００１】
本発明は、カメラ本体と電気的に接続するためのフレキシブルプリント基板を備えるレンズ鏡筒およびそれを装着するカメラに関する。
【背景技術】
【０００２】
内部に電動ユニットを内蔵するレンズ鏡筒においては、一般に、電動ユニットとカメラ本体の接続にフレキシブルプリント基板（以下、ＦＰＣという）が用いられる。
【０００３】
このようなＦＰＣが用いられているレンズ鏡筒として、レンズ鏡筒収納位置において、複数のＦＰＣを所定の折り曲げガイド部材に沿って折り曲げ、その折り曲げ部をクリップ部材にて折り曲げガイド部材に挟持固定するものがある（例えば特許文献１参照）。これにより、各ＦＰＣにおいてたわみ部が発生するのが抑制される。
【０００４】
また、レンズ鏡筒として、その内部に収納されているレンズの外周に切り欠き部を形成し、この切り欠き部と内部の筒部材との間に形成される空間にＦＰＣのたわみ部を収容するものがある（例えば特許文献２参照）。
【特許文献１】特開平７−１８１３６０号公報
【特許文献２】特開２００３−９８４１５号公報
【発明の開示】
【発明が解決しようとする課題】
【０００５】
しかしながら、前者のレンズ鏡筒においては、レンズ鏡筒収納位置で、折り曲げガイド部材、クリップ部材により、ＦＰＣのたわみ部の発生を抑制しているので、ガイド部材、クリップ部材の厚さ分、レンズ鏡筒の外形が大きくなる。また、部品点数も多くなる。
【０００６】
また、後者のレンズ鏡筒においては、レンズの外周に切り欠き部が形成されているので、当該レンズに対して高い製造精度が要求されるとともに、レンズの製造コストがアップする。また、レンズ鏡筒の内部の構成部品またはユニットに切り欠き部が形成されると、その構成スペースが小さくなり、レンズ鏡筒外径が大きくなる恐れがある。
【０００７】
本発明の目的は、構成部品の数の削減および外径の小径化を図ることができるレンズ鏡筒およびカメラを提供することにある。
【課題を解決するための手段】
【０００８】
本発明は、上記目的を達成するため、光学素子を駆動するための、光軸方向に沿って撮影位置と収納位置との間を移動可能な電動ユニットと、内周から外周側に貫通する第１の貫通孔および第２の貫通孔が設けられ、前記電動ユニットの外周側に配置される固定筒と、前記電動ユニットから前記固定筒の前記第１の貫通孔を貫通して前記固定筒の外周側に延び、前記電動ユニットとカメラ本体とを電気的に接続するフレキシブルプリント基板とを備え、前記フレキシブルプリント基板には、前記電動ユニットが前記収納位置から前記撮影位置まで移動することを許容するためのたわみ部が形成され、前記固定筒の前記第２の貫通孔は、前記フレキシブルプリント基板の前記たわみ部を収容するための空間を形成することを特徴とするレンズ鏡筒を提供する。
【０００９】
本発明は、上記目的を達成するため、上記レンズ鏡筒を装着することを特徴とするカメラを提供する。
【発明の効果】
【００１０】
本発明によれば、構成部品の数の削減および外径の小径化を図ることができる。
【発明を実施するための最良の形態】
【００１１】
以下、本発明の実施の形態について図面を参照しながら説明する。
【００１２】
図１は本発明の一実施の形態に係るレンズ鏡筒の分解斜視図である。図２は図１の３群レンズ保持部材１１とベース部材１３とを分離した状態を示す斜視図である。本実施の形態においては、デジタルカメラに装着されるレンズ鏡筒を説明する。
【００１３】
レンズ鏡筒は、図１に示すように、レンズ保持部材２、２群ユニット７（電動ユニット）、３群レンズ保持部材１１、カム筒１５、直進部材１６、固定筒１７、駆動筒（回転筒）１８およびカバー部材１９を備える。ここで、図１中の座標軸において、Ｚ軸がレンズ鏡筒の光軸方向を表し、Ｘ，Ｙ軸がそれぞれ光軸方向と直交する方向を表すものとする。
【００１４】
レンズ保持部材２は、１群レンズ１を保持する。このレンズ保持部材２には、３つの主カムフォロアー部２ａおよび３つの副カムフォロアー部２ｂが形成されており、これらは、それぞれ、２π／３（ｒａｄ）の等角度間隔で配置されている。また、レンズ保持部材２の内周面には、光軸方向へ伸びる溝部２ｃと、凸部２ｄが形成されている。また、レンズ保持部材２には、カバー部材３がおよびキャップ部材４が取り付けられる。
【００１５】
２群ユニット７は、２群レンズ５を保持するレンズ保持部材６を光軸方向へ駆動、制御するための駆動制御ユニット（図示せず）と、シャッタユニット（図示せず）を含む。この２群ユニット７の外周面には、３つのカムフォロアー７ａが形成されており、各カムフォロアー７ａは、２π／３（ｒａｄ）の等角度間隔で配置されている。また、２群ユニット７には、それが光軸周りに回転することを規制するための３つの直進ガイド部７ｂが形成されており、各直進ガイド部７ｂは、２π／３（ｒａｄ）の等角度間隔で配置されている。
【００１６】
２群ユニット７は、２つのフレキシブルプリント基板（以下、ＦＰＣという）８，９を介して、カメラ本体（図示せず）と電気的に接続される。ここで、各ＦＰＣ８，９の一端は、２群ユニット７と接続され、他端は、上記カメラ本体と接続される。
【００１７】
３群レンズ保持部材１１は、３群レンズ１０を保持する。３群レンズ保持部材１１には、主ガイド部１１ａおよび副ガイド部１１ｂが形成されている。主ガイド部１１ａは、ガイド部材１２と嵌合され、これにより、レンズ保持部材１１は光軸方向へ案内される。ガイド部材１２は、図２に示すように、ベース部材１３に取り付けられている。ベース部材１３には、各ＦＰＣ８，９を位置決めするための貫通孔１３ａと、３群レンズ保持部材１１の副ガイド部１１ｂと嵌合するガイド部１３ｂが形成されている。
【００１８】
ベース部材１３の背面側には、ＣＣＤ１４が配置されている。このＣＣＤ１４は、カメラ本体に固定されている。
【００１９】
カム筒１５は、レンズ保持部材２の主カムフォロアー２ａ、副カムフォロアー２ｂのそれぞれに対応するカム溝１５ａ，１５ｂと、２群レンズユニット７のカムフォロアー７ａに対応するカム溝１５ｃを有する。これらのカム溝１５ａ，１５ｂ，１５ｃは、カム筒１５の内周面に形成されている。カム溝１５ｂと副カムフォロアー２ｂの間には、所定の隙間が設けられている。カム筒１５の外周面には、カムフォロアー１５ｄと駆動ピン１５ｅが形成されており、これらは、それぞれ、２π／３（ｒａｄ）の等角度間隔で配置されている。また、カム筒１５の内周面には、周方向に伸びる溝１５ｆが形成されている。
【００２０】
直進部材１６は、レンズ保持部材２、２群ユニット７の光軸周りの回転を規制する部材である。直進部材１６には、レンズ保持部材２の溝部２ｃと係合する凸部１６ａと、レンズ保持部材２の凸部２ｄと係合する溝部１６ｂが形成されている。また、２群レンズユニット７の各直進ガイド部７ｂとそれぞれ係合する３つの直進溝１６ｃが形成されており、各直進溝１６ｃは、それぞれ、２π／３（ｒａｄ）の等角度間隔で配置されている。また、直進部材１６自身の回転を規制するための３つの凸部１６ｄが形成されており、各凸部１６ｄは、それぞれ、２π／３（ｒａｄ）の等角度間隔で配置されている。また、凸部１６ｅが形成されており、当該凸部１６ｅがカム筒１５の溝部１５ｆに嵌合することによって、直進部材１６とカム筒１５は、互いに回転可能な状態で、光軸方向へ一体に移動する。
【００２１】
固定筒１７は、ベース部材１３に取り付けられている。固定筒１７には、カム溝１７ａ、貫通カム１７ｂ、直進ガイド溝１７ｃ、貫通孔１７ｄおよび貫通孔１７ｅが形成されている。カム溝１７ａは、カム筒１５のカムフォロアー部１５ｄと係合する。貫通カム１７ｂは、カム筒１５の駆動ピン１５ｅに対応するカムであり、当該カムの軌跡は、カム溝１７ａと同じである。直進ガイド溝１７ｃは、光軸方向へ伸び、直進部材１６の凸部１６ｃと係合する溝である。貫通孔１７ｄは、各ＦＰＣ８，９を固定筒１７の外周面側に引き出すための孔である。貫通孔１７ｅは、各ＦＰＣ８，９のたわみ部を収容する空間を構成するための孔である。
【００２２】
駆動筒１８は、固定筒１７の外周側に配置され、光軸周りに回転する。駆動筒１８の外周には、駆動ユニット（図示せず）からの駆動力が伝達されるギア部１８ａと、後述の各ファインダーレンズ２２，２３，２４を光軸方向へ移動させるための各カム溝１８ｂ，１８ｃ，１８ｄが形成されている。駆動筒１８の内周面には、光軸方向へ伸びる３つの溝部１８ｅが形成されており、各溝１８ｅは、それぞれ、２π／３（ｒａｄ）の等角度間隔で配置されている。各溝部１８ｅは、それぞれ、カム筒１５の対応する駆動ピン部１５ｅと係合する。また、駆動筒１８には、各ＦＰＣ８，９が通過可能な貫通孔１８ｆが形成さている。貫通孔１８ｆは、各カム溝１８ｂ，１８ｃ，１８ｄと周方向に重なる位置まで所定角度分に伸びる孔である。また、駆動筒１８の内周面には、切り欠き部１８ｇが形成されている。この切り欠き部１８ｇは、レンズ鏡筒収納位置（図３）で、固定筒１７の貫通孔１７ｅと同位相となり、各ＦＰＣ８，９のたわみ部を位置させるためのものである。
【００２３】
カバー部材１９は、駆動筒１８の外周側に配置され、固定筒１７と一体化するようにベース部材１３に取り付けられている。カバー部材１９には、各ＦＰＣ８，９を通過させるための貫通孔１９ａが形成されている。また、カバー部材１９には、ファインダーベース部材（図示せず）を取り付けるための取り付け部１９ｂ，１９ｃが形成されている。
【００２４】
次に、上記レンズ鏡筒の動作について図３〜図１０を参照しながら説明する。図３は図１のレンズ鏡筒が収納位置にあるときのＹ軸方向に沿って得られた断面図である。図４は図１のレンズ鏡筒が収納位置にあるときのＸ軸方向に沿って得られた断面図である。図５は図１のレンズ鏡筒がＷＩＤＥ位置にあるときのＹ軸方向に沿って得られた断面図である。図６は図１のレンズ鏡筒がＷＩＤＥ位置にあるときのＸ軸方向に沿って得られた断面図である。図７は図１のレンズ鏡筒がＴＥＬＥ位置にあるときのＹ軸方向に沿って得られた断面図である。図８は図１のレンズ鏡筒がＴＥＬＥ位置にあるときのＸ軸方向に沿って得られた断面図である。図９は図１のレンズ鏡筒が収納位置にあるときの各ＦＰＣ８，９が駆動筒１８の貫通孔１８ｆを貫通する状態を示す斜視図である。図１０は図１のレンズ鏡筒が収納位置にあるときの各ＦＰＣ８，９が固定筒１７の貫通孔１７ｅを貫通する状態を示す斜視図である。
【００２５】
まず、レンズ鏡筒を収納位置（図３および図４）から、撮影可能位置であるＷＩＤＥ位置（図５および図６）へ繰り出す動作について説明する。
【００２６】
レンズ鏡筒を収納位置からＷＩＤＥ位置へ繰り出す際には、駆動ユニットから駆動筒１８のギア部１８ａに駆動力が伝達され、駆動筒１８が光軸周りに回転される。ここで、駆動筒１８の溝部１８ｅと駆動ピン１５ｅが係合しているので、駆動筒１８の光軸周りの回転に連動してカム筒１５が回転される。
【００２７】
カム筒１５が回転されると、そのカムフォロアー１５ｄが固定筒１７のカム溝１７ａと係合しているので、カム筒１５はカム溝１７ａのカム軌跡に沿って回転しながら光軸方向へ移動する。このとき、直進部材１６は、上述したように、カム筒１５の溝部１５ｆと直進部材１６の凸部１６ｄによって一体で光軸方向へ移動する。しかし、直進部材１６は、直進部材１６の凸部１６ｃと固定筒１７の直進ガイド溝１７ｃの係合によって回転が規制されているので、光軸方向へ直進移動する。
【００２８】
また、主カムフォロアー２ａとカム溝１５ａが係合し、レンズ保持部材２の溝部２ｃおよび凸部２ｄと直進部材１６の凸部１６ａおよび溝部１６ｂが、係合しているので、カム筒１５の回転に連動して、レンズ保持部材２は、回転することなく光軸方向へ移動する。
【００２９】
また、２群ユニット７のカムフォロアー７ａとカム溝１５ｃが係合し、２群ユニット７の直進ガイド部７ｂと直進溝１６ｃが係合しているので、２群ユニット７は、回転することなく光軸方向へ移動する。
【００３０】
３群レンズ保持部材１１は、駆動機構（図示せず）からの駆動力により、光軸方向へ進退駆動されることによって、フォーカス動作を行う。
【００３１】
このようにして、レンズ鏡筒の繰り出し動作が行われ、レンズ鏡筒は、収納位置（図３および図４）からＷＩＤＥ位置（図５および図６）へ繰り出される。
【００３２】
このＷＩＤＥ位置状態で、さらに駆動筒１８が回転されると、ＷＩＤＥ位置からＴＥＬＥ位置（図７および図８）へのズーム動作が行われる。このとき、３群レンズ保持部材１１は、上記駆動機構によって、ズーム位置に応じた位置へ移動する。
【００３３】
次に、ＦＰＣ８，９について説明する。
【００３４】
レンズ鏡筒が収納位置にあるとき、図３に示すように、各ＦＰＣ８，９は、２群ユニット７と直進部材１６の間をＣＣＤ１４側へ向けて延び、ベース部材１３の貫通孔１３ａでＣＣＤ１４と反対側へ折り返されている。そして、各ＦＰＣ８，９は、固定筒１７の貫通孔１７ｄ（図１０）、駆動筒１８の貫通孔１８ｆ（図９）およびカバー部材１９の貫通孔１９ａを通過してレンズ鏡筒の外部へ導かれる。この外部に導かれた各ＦＰＣ８，９の他端は、カメラ本体の制御ユニット（図示せず）と接続されている。
【００３５】
ここで、レンズ鏡筒が上記収納位置からＷＩＤＥ位置を経てＴＥＬＥ位置まで繰り出されることに伴い、２群ユニット７は、上記収納位置から上記ＴＥＬＥ位置まで移動される。よって、上記２群ユニット７の移動を許容するために、各ＦＰＣ８，９に全長（２群ユニット７と上記カメラ本体の接続に必要な長さ）は、過不足がない長さに設定されている。これにより、図３に示すように、各ＦＰＣ８，９には、レンズ鏡筒が収納位置にあるときにたわみ部が形成され、このたわみ部は、固定筒１７の貫通孔１７ｅおよび駆動筒１８の切り欠き部１８ｇにより形成される空間に収容される。
【００３６】
次に、ファインダーの構成について図１１〜図１３を参照しながら説明する。図１１は図１のレンズ鏡筒が収納位置にあるときのファインダーの構成を示す斜視図である。図１２は図１のレンズ鏡筒が収納位置にあるときの各ファインダーレンズの位置を示す側面図である。図１３は図１のレンズ鏡筒がＴＥＬＥ位置にあるときの各ファインダーレンズの位置示す側面図である。
【００３７】
ファインダーは、図１１に示すように、第１、第２、第３および第４ファインダーレンズ２０，２１，２２，２３を有する。第１ファインダーレンズ２０は、上記ファインダーベース部材（図示せず）に固定される。第２ファインダーレンズ２１には、主ガイド部２１ａ、副ガイド部２１ｂおよびカムフォロアー２１ｃが形成されている。カムフォロアー２１ｃは駆動筒１８のカム溝１８ｃと係合する。
【００３８】
第３ファインダーレンズ２２には、主ガイド部２２ａ、副ガイド部２２ｂおよびカムフォロアー２２ｃが形成されている。カムフォロアー２２ｃは、駆動筒１８のカム溝１８ｂと係合する。また、第３ファインダーレンズ２２には、ばね掛け部２２ｄが形成されている。第４ファインダーレンズ２３には、主ガイド部２３ａ、副ガイド部２３ｂおよびカムフォロアー２３ｃが形成されている。カムフォロアー２３ｃは、駆動筒１８のカム溝１８ｄと係合する。また、第４ファインダーレンズ２３には、ばね掛け部２３ｄが形成されている。
【００３９】
また、上記ファインダーベース部材には、ガイド部材２４およびガイド部材２５が固定されている。ガイド部材２４は、第２ファインダーレンズ２１を光軸方向に案内するように、第２ファインダーレンズ２１の主ガイド部２１ａと嵌合する。ガイド部材２５は、第３ファインダーレンズ２２と第４ファインダーレンズ２３をそれぞれ光軸方向へ案内するように、第３ファインダーレンズ２２の主ガイド部２２ａと第４ファインダーレンズ２３の主ガイド部２３ａと嵌合する。
【００４０】
上記ファインダーベース部材と主ガイド部２１ａの間には、ガイド部材２４に挿通されるばね部材２６が配置され、このばね部材２６により、カムフォロアー２１ｃは、カム溝１８ｃの一方の面側に付勢される。
【００４１】
ばね掛け部２２ｄ，２３ｄには、ばね部材２７が掛けられている。このばね部材２７により、各カムフォロアー２２ｃ，２３ｃは、それぞれ対応するカム溝１８ｂ，１８ｄの一方の面側に付勢されている。
【００４２】
また、上記ファインダーベース部材には、フィールドレンズ２８が固定されている。第１ファインダーレンズ２１からこのフィールドレンズ２８を通過した光像は、接眼光学系（図示せず）へ導かれる。
【００４３】
次に、上記ファインダーの動作について説明する。
【００４４】
上述したように、レンズ鏡筒が収納位置にあるときには、図１２に示すように、ファインダーにおいて、第２ファインダーレンズ２１のカムフォロアー２１ｃと駆動筒１８のカム溝１８ｃが係合している。また、第３ファインダーレンズ２２のカムフォロアー２２ｃとカム溝１８ｂが係合している。また、第４ファインダーレンズ２３のカムフォロアー２３ｃとカム溝１８ｄが係合している。これにより、駆動筒１８が光軸周りに回転されると第２、第３および第４ファインダーレンズ２１，２２，２３は、それぞれ、対応するカム溝１８ｂ，１８ｃ，１８ｄのカム軌跡に沿って、光軸方向（ＴＥＬＥ位置へ向う方向）へ移動する。この際、第２、第３および第４ファインダーレンズ２１，２２，２３は、それぞれが互いに漸次近づくように移動する。
【００４５】
そして、レンズ鏡筒がＴＥＬＥ位置へ到達すると（図７および図８）、ファインダーの第２、第３および第４ファインダーレンズ２１，２２，２３は、図１３に示すような状態で位置決めされる。
【００４６】
このように、本実施の形態によれば、レンズ鏡筒が収納位置にあるときに、各ＦＰＣ８，９のたわみ部が、固定筒１７の貫通孔１７ｅと駆動筒１８の切り欠き部１８ｇに収容される。よって、上記たわみ部を収容するための部材を追加する必要がなく、部品点数を削減することが可能である。また、レンズ鏡筒の外径を大きくする必要がなく、レンズ鏡筒外径の小径化を図ることができる。
【００４７】
また、ＦＰＣ８，９が光軸中心側へたわむことなく、当該ＦＰＣ８，９を収納することが可能である。よって、レンズ鏡筒内部の２群ユニット７、３群レンズ保持部材１１、ＣＣＤ１４などに対して切り欠きを形成する必要がない。これによるコストアップを阻止することができる。
【００４８】
ここで、本実施の形態においては、デジタルカメラに装着されるレンズ鏡筒を説明したが、本発明のレンズ鏡筒は、デジタルカメラの他に、銀塩フィルムを記録媒体とするカメラに適用可能である。
【図面の簡単な説明】
【００４９】
【図１】本発明の一実施の形態に係るレンズ鏡筒の分解斜視図である。
【図２】図１の３群レンズ保持部材１１とベース部材１３とを分離した状態を示す斜視図である。
【図３】図１のレンズ鏡筒が収納位置にあるときのＹ軸方向に沿って得られた断面図である。
【図４】図１のレンズ鏡筒が収納位置にあるときのＸ軸方向に沿って得られた断面図である。
【図５】図１のレンズ鏡筒がＷＩＤＥ位置にあるときのＹ軸方向に沿って得られた断面図である。
【図６】図１のレンズ鏡筒がＷＩＤＥ位置にあるときのＸ軸方向に沿って得られた断面図である。
【図７】図１のレンズ鏡筒がＴＥＬＥ位置にあるときのＹ軸方向に沿って得られた断面図である。
【図８】図１のレンズ鏡筒がＴＥＬＥ位置にあるときのＸ軸方向に沿って得られた断面図である。
【図９】図１のレンズ鏡筒が収納位置にあるときの各ＦＰＣ８，９が駆動筒１８の貫通孔１８ｆを貫通する状態を示す斜視図である。
【図１０】図１のレンズ鏡筒が収納位置にあるときの各ＦＰＣ８，９が固定筒１７の貫通孔１７ｅを貫通する状態を示す斜視図である。
【図１１】図１のレンズ鏡筒が収納位置にあるときのファインダーの構成を示す斜視図である。
【図１２】図１のレンズ鏡筒が収納位置にあるときの各ファインダーレンズの位置を示す側面図である。
【図１３】図１のレンズ鏡筒がＴＥＬＥ位置にあるときの各ファインダーレンズの位置示す側面図である。
【符号の説明】
【００５０】
７  ２群ユニット
８，９  フレキシブルプリント基板（ＦＰＣ）
１７  固定筒
１７ｄ  貫通孔（第１の貫通孔）
１７ｅ  貫通孔（第２の貫通孔）
１８  駆動筒（回転筒）
１８ｇ  切り欠き部
【図１】
2008070550.tif 000003
【図２】
2008070550.tif 000004
【図３】
2008070550.tif 000005
【図４】
2008070550.tif 000006
【図５】
2008070550.tif 000007
【図６】
2008070550.tif 000008
【図７】
2008070550.tif 000009
【図８】
2008070550.tif 000010
【図９】
2008070550.tif 000011
【図１０】
2008070550.tif 000012
【図１１】
2008070550.tif 000013
【図１２】
2008070550.tif 000014
【図１３】
2008070550.tif 000015